(57)【要約】【課題】  アドレス情報を検出したいトラックの左右に記録がなされているか否かにかかわらず、正確にアドレス情報を検出する。【解決手段】  光ディスク１１から得られる信号が未記録であるか記録であるかによってレベルが変動する加算器４２、４３からの出力信号を調整することにより、ウォブル信号に重畳されたアドレスの正確な抽出が可能となることから、隣接トラックが未記録、記録状態にかかわらず、ウォブルアドレスを正確に検出することができる。【選択図】  図３
2005149670.tif 000002
【特許請求の範囲】
【請求項１】
記録が光ディスクのランドとグルーブの両方に行うことが可能であるとともに、アドレス情報がウォブルによって管理されている光ディスクに情報の記録再生を行う情報記録再生装置において、
前記光ディスクに光ビームを照射し、該光ディスクからの反射光を受光するため前記光ディスクの半径方向およびトラック方向に分割されたＡ〜Ｄの受光面を持つ光検出手段と、
前記光検出手段のＡおよびＢの受光面より出力される信号から第１の和信号を得る第１の加算器と、
前記光検出手段のＣおよびＤの受光面より出力される信号から第２の和信号を得る第２の加算器と、
前記第１および第２の和信号が記録あるいは未記録の状態かを判定する判定手段と、
前記判定手段の判定結果に基づき、前記第１および第２の和信号との差信号のバランスを調整する調整手段とを具備したことを特徴とする情報記録再生装置。
【請求項２】
上記判定手段は、上記第１の加算器の出力の絶対値を平均化して基準値との比較を行うとともに、上記第２の加算器の出力の絶対値を平均化して基準値との比較を行うことを特徴とする請求項１記載の情報記録再生装置。
【請求項３】
光検出手段により検出された光量から差信号を生成するまでの間にアンプを有し、そのアンプを調整するプリセットを複数有し、差信号を用いてアドレスを再生する際には、隣接トラックが記録されているか否かによって最適なプリセットに切り換えることを特徴とする請求項１記載の情報記録再生装置。
【請求項４】
プリセットを切り換えるときは、予め前記光ディスクの管理ファイルを再生し、記録してある場所を認識してから、その認識情報によって隣接トラックが記録されているか否かを判断し、プリセットを切り換えることを特徴とする請求項２記載の情報記録再生装置。
【発明の詳細な説明】
【技術分野】
【０００１】
この発明は、記録がランドとグルーブの両方に行うことが可能であるとともに、アドレス情報がウォブルによって管理される情報記録再生装置に関する。
【背景技術】
【０００２】
従来の情報記録装置は、トラッキングサーボ制御やフォーカスサーボ制御を行う際に、トラッキングエラー信号やフォーカスエラー信号に所定のオフセット量を加え、サーボ制御の制御バランスを調整し、例えば再生信号やウォブル信号等のジッタをより小さくするようにしている。（例えば、特許文献１）
【特許文献１】特開２００２−２１６３７９公報（第４頁、図４）
【発明の開示】
【発明が解決しようとする課題】
【０００３】
上記した特許文献１の技術は、主に、製造時あるいは出荷時にのみオフセットの調整を行っている。オフセットの調整は、ウォブル信号のジッタの最小値となるところとしているが、情報記録媒体が記録状態、未記録状態といった観点からは見ていない。このため、アドレス情報検出を行う際、片側の隣接トラックにのみ記録が行われていると、未記録部と記録部では反射率が異ることによる光量差が生じるために、フォトディテクターの左右のバランスが崩れ、差信号によって検出されるウォブルアドレス信号も誤検出してしまう等の問題が新たに判明した。
【０００４】
この発明の目的は、アドレス情報を検出したいトラックの左右に記録がなされているか否かにかかわらず、正確にアドレス情報を検出することのできる情報記録再生装置を提供することにある。
【課題を解決するための手段】
【０００５】
上記した課題を解決するために、この発明の情報記録再生装置は、記録が光ディスクのランドとグルーブの両方に行うことが可能であるとともに、アドレス情報がウォブルによって管理されている光ディスクに情報の記録再生を行うものにあって、前記光ディスクに光ビームを照射し、該光ディスクからの反射光を受光するため前記光ディスクの半径方向およびトラック方向に分割されたＡ〜Ｄの受光面を持つ光検出手段と、前記光検出手段のＡおよびＢの受光面より出力される信号から第１の和信号を得る第１の加算器と、前記光検出手段のＣおよびＤの受光面より出力される信号から第２の和信号を得る第２の加算器と、前記第１および第２の和信号が記録あるいは未記録の状態かを判定する判定手段と、前記判定手段の判定結果に基づき、前記第１および第２の和信号との差信号のバランスを調整する調整手段とを具備したことを特徴とする。
【発明の効果】
【０００６】
この発明によれば、再生回路定数を変えてアドレスを再生することにより、アドレス再生を行うトラックの前後トラックが記録、未記録にかかわらず、アドレスを正確に再生することができる。
【発明を実施するための最良の形態】
【０００７】
以下、この発明の実施例について、図面を参照しながら詳細に説明する。
【０００８】
図１は、この発明に用いる情報記録再生装置について説明するためのシステム構成図で
ある。記録媒体である光ディスク１１から、そこに格納されている情報を読み出してデコード処理し再生する再生処理および／または映像信号、副映像信号、音声信号を受けて、エンコード処理を行い、これを光ディスク１１へと記録する記録処理を行うディスク装置１００を示している。
【０００９】
光ディスク１１は、ディスクドライブ部１２に装着されている。このディスクドライブ部１２は、装着された光ディスク１１を回転駆動し、光ピックアップ等を用いて光ディスク１１に格納されている情報を読み取りデコードし再生し、および／またはエンコードされた信号に応じた情報を情報記録媒体に記録するものである。
【００１０】
以下、再生処理に係るディスク装置を説明する。
【００１１】
ディスクドライブ部１２で読み取られた情報は、ＭＰＵ（Micro Processing Unit）部１３に供給され、エラー訂正処理が施された後、図示しないバッファに格納され、この情報のうち、制御データ領域の管理情報は、メモリ部１４に記録され、再生制御やデータ管理等に利用される。
【００１２】
バッファに格納された情報のうち、ビデオ・オブジェクト領域の情報は、分離部１５に転送され、主映像パックＭＶＰ、音声パックＡＰおよび副映像パックＳＶＰ毎に分離される。主映像パックＭＶＰの情報は映像デコーダ部１６、音声パックＡＰの情報は音声デコーダ部１７、副映像パックＳＶＰの情報は副映像デコーダ部１８にそれぞれ供給され、デコード処理が行なわれる。映像デコーダ部１６でデコード処理された主映像情報と、副映像デコーダ部１８でデコード処理された副映像情報とは、Ｄ−プロセッサ部１９に供給されて重畳処理が施された後、Ｄ／Ａ（Digital/Analogue）変換部２０でアナログ化され、副映像情報は、そのままＤ／Ａ変換部２１でアナログ化され、映像信号として図示しないＣＲＴ（Cathode Ray Tube）等の映像表示装置に出力される。音声デコーダ部１７でデコード処理された音声情報は、Ｄ／Ａ変換部２２でアナログ化され、音声信号として図示しないスピーカ等に出力される。
【００１３】
上記のような光ディスク１１に対する一連の再生動作は、ＭＰＵ部１３によって統括的に制御されている。ＭＰＵ部１３は、キー入力部２３からの操作情報を受け、ＲＯＭ（Read Only Memory）部２４に格納されたプログラムに基づいて、各部を制御している。
【００１４】
記録処理について説明する。映像、音声および副映像の各入力端子を通して入力される各データが、Ａ／Ｄ変換部２５，２６，２７に供給され、アナログ信号からデジタル信号に変換する。Ａ／Ｄ変換部２５でデジタル変換されたビデオデータは、映像エンコーダ部２８に供給されエンコードされる。Ａ／Ｄ変換部２６でデジタル変換された副映像データは、副映像エンコーダ部２９に供給されエンコードされる。Ａ／Ｄ変換部２７でデジタル変換されたオーディオデータは、音声エンコーダ部３０に供給されエンコードされる。
【００１５】
各エンコーダでエンコードされたビデオ、オーディオおよび副映像の各データは、多重部（ＭＵＸ:Multiplexer）３１に供給され、それぞれパケットおよびパック化し、ビデオパック、オーディオパックおよび副映像パックとしてＭＰＥＧ−２プログラムストリームを構成する。多重化されたデータ群は、ファイルフォーマッタ部３２に供給され、このディスク装置で記録再生可能なファイル構造に準拠したファイルに変換する。このファイルは、ボリュームフォーマッタ部３３に供給され、このディスク装置で記録再生可能なボリューム構造に準拠したデータフォーマットを形成する。ここでは、ファイルフォーマッタ部３２でファイル化されたデータおよびそのファイル化されたデータを再生するための再生制御情報等を付加する。その後、物理フォーマッタ３４に供給され、ディスクドライブ部１２により、光ディスク１１へファイル化されたデータを記録する。
【００１６】
このような再生動作や記録動作は、このディスク装置のＲＯＭ部２４に記憶された一連の処理プログラムに基づいて、キー入力部２３からの指示のもと、ＭＰＵ部１３で実行することにより行われるものである。
【００１７】
なお、このディスク装置では、副映像データのエンコード処理とデコード処理との両方を行っているが、エンコード処理のみがオーサリングシステム等で単独で行われたり、デコード処理のみがディスク装置で行われたりする場合も可能である。
【００１８】
光ディスク装置は、光ディスク１０の論理フォーマットを参照して動作する。光ディスク１０はリードインエリアからリードアウトエリアまでのボリューム空間は、先に説明したようなボリュームおよびファイル構造を有している。この構造は、論理フォーマットとして特定の規格、例えば、ＩＳＯ１３３４６のサブセットで、データの可搬性と実装の容易性を目的として、Optical Storage Technology Association（OSTA）によって提案された汎用のディスクファイルフォーマットであるマイクロＵＤＦ（Universal Disk Format）およびＩＳＯ９６６０に準拠されて定められている。ボリューム空間は、既に説明したように物理的に複数のセクタに分割され、その物理的セクタには、連続番号が付されている。論理アドレスは、マイクロＵＤＦおよびＩＳＯ９６６０で定められるように論理セクタ番号ＬＳＮを意味し、論理セクタは、物理セクタのサイズと同様に２０４８バイトであり、論理セクタの番号ＬＳＮは、物理セクタ番号の昇順とともに連続番号が付加されている。
【００１９】
ここで、光ディスク１１は、トラックピッチが他の領域よりも広く、ピットが形成されているシステムリードインエリア、データリードインエリア、データエリア、データリードアウトエリアの４つの領域から構成される。光ディスク１１は、少なくとも基板と記録層から成っている。基板には、グルーブ（Groove）とランドランド（Land）が存在し、グルーブ、ランドそれぞれ連続したスパイラルとなっている。グルーブは一定周波数をもつウォブルを有している。
【００２０】
このウォブルは、図２に示すように信号を変調することによりアドレス情報を記録させておくこととする。なお、アドレス情報が記録されたウォブルについては、本件出願人が先に出願した特願２００３−９５４０３号に掲載されている。
【００２１】
図３は、この発明の一実施例について説明するための構成図である。図３において、光ディスク１１に記録された情報を読み取るディスクドライブ部１２内に構成され、光ディスク１１に光ビームを照射し、反射される反射光を４分割フォトディテクター４１で受光する。フォトディテクター４１のＡとＢ、ＣとＤの和を加算器４２，４３でそれぞれ得る。加算器４２と４３の出力から、加算器４４で加算出力を得る。また、加算器４２の出力から可変アンプ４５を介した出力と加算器４３の出力の減算は減算器４６から得る。
【００２２】
さらに、加算器４２の出力は、平均回路４７に供給する。平均回路４７では、フォトディテクター４１のＡとＢの和の絶対値を平均化し、比較器４８で基準値との比較を行い、比較結果にも基づいて判定部４９で隣接トラックが記録されているか否かの判断を行う。同様に、平均回路５０では、フォトディテクター４１のＣとＤの和の絶対値を平均化し、比較器５１で基準値との比較を行い、比較結果にも基づいて判定部５０で隣接トラックが記録されているか否かの判断を行う。
【００２３】
基準値より大きい場合を１、小さい場合を０とすると、（Ａ＋Ｂ），（Ｃ＋Ｄ）の組み合わせは、図４に示すように０，０、０，１、１，０、１，１の４とおりが存在する。０，０、１，１の組み合わせは、どちらも（Ａ＋Ｂ）と（Ｃ＋Ｄ）のバランスが取れている
ため、同じプリセットα０を用いればよい。０，１の組み合わせのときはプリセットα１，α１，α０の組み合わせのときはプリセットα２を用いる。
【００２４】
判定部４９の判定結果は、切換器５２に供給し、切り換え結果に基づいて可変アンプ４５の増幅度を決定している。可変アンプ４５には、プリセットα０，α１，α２が設けてあり、隣接するトラックが未記録状態か記録状態であるのを判断してプリセットが切り換えられる。
【００２５】
一例として、α０、α１、α２の増幅率をα２＜α０＜α１の関係に設定することにより判定部４９の判定結果に基づいた増幅率を選択することで、隣接トラックの未記録あるいは記録の状態に合った出力を得ることができる。
【００２６】
この実施例によれば、未記録であるか記録であるかによってレベルが変動する加算器４２、４３からの出力信号を調整することにより、ウォブル信号に重畳されたアドレスの正確な抽出が可能となることから、隣接トラックが未記録、記録状態にかかわらず、ウォブルアドレスを正確に検出することができる。
【００２７】
なお、この実施例においては、プリセットを３種類用意したが、それに限ることはなくより良いアドレス再生条件を得るために、３種類より多いプリセットを用意して使用してもよい。
【００２８】
上記した実施例では、フォトディテクターのバランスをとるためにアンプのプリセットを用いたが、プリセットではなく、アドレスが読めないときにその都度アンプの調整を行って最適化することも可能である。
【００２９】
この具体例を他の実施例として図５に示し説明する。まず、プリセットα０を用いてウォブルのアドレスを再生する（Ｓ１）。そのとき、アドレスのエラーレートを測定し（Ｓ２）、エラーレートの閾値を例えば１×１０-4とし、これより大きい値の場合に悪いものとする。この閾値より悪いときには、プリセットα１を用いてウォブルアドレスを再び再生する（Ｓ３）。エラーレートを測定し（Ｓ４）、まだエラーレートが閾値より悪いときには、プリセットα２を用いてウォブルアドレスを再生する（Ｓ５）。これでもエラーレートが悪い場合（Ｓ６）、今度はアンプのオフセット量を変え（Ｓ７）、再びこの流れを繰り返し、エラーレートが閾値より良くなったら、このプリセットを用いて記録および再生を行うこととする（Ｓ８）。
【００３０】
この実施例においても、定数を変えてアドレス情報を再生することにより、アドレス再生を行うトラックの前後トラックが記録、未記録に関係なくアドレスを正確に再生することができる。
【００３１】
この発明は上記した実施例に限定されるものではない。例えば、実際にプリセットを設定する際には、システム全体固有のものをとってもよいし、機種毎にプリセット値を変えてもよいし、情報記録再生装置１台毎に製造出荷時に設定してもよいし、光ディスク毎にキャリブレーション時に設定を行ってもよい。
【００３２】
また、プリセットを選択する際には、フォトディテクターの（Ａ＋Ｂ）と（Ｃ＋Ｄ）のバランスから判断して行ったが、これに限ることはなく、光ディスクの情報記録時に作成する管理ファイルをまず再生し、この情報から実際にアドレス再生を行いたい箇所の左右トラックの記録状態を認識し、この情報に基づいてプリセットを選択してもよい。さらに、アンプを（Ａ＋Ｂ）にしかつけなかったが、これに限定されるものではなく、（Ｃ＋Ｄ）のみ、あるいは（Ａ＋Ｂ），（Ｃ＋Ｄ）の両方につけてもよい。さらに、記録情報媒体
として書き換え可能なものを用いたが、これに限定することはなく、１度だけ記録可能なものを用いても同様の効果が得られた。
【図面の簡単な説明】
【００３３】
【図１】この発明に用いる情報記録再生装置について説明するための構成図。
【図２】この発明に用いるウォブル信号について説明するための説明図。
【図３】この発明の一実施例について説明するための構成図。
【図４】図３の動作について説明するための説明図。
【図５】この発明の他の実施例について説明するための説明図。
【符号の説明】
【００３４】
１１  光ディスク
１２  ディスクドライブ部
４１  フォトディテクター
４２，４３，４４  加算器
４５  可変アンプ
４６  減算器
４７，５０  平均回路
４８，５１  比較器
４９  判定部
５２  切換器
【図１】
2005149670.tif 000003
【図２】
2005149670.tif 000004
【図３】
2005149670.tif 000005
【図４】
2005149670.tif 000006
【図５】
2005149670.tif 000007